(57)【要約】【課題】所定期間毎の集計の基準時刻を変更できるようにすることで、各ユーザーに適したエネルギー使用量の集計結果を表示できるようにする。【解決手段】所定期間の開始時点の基準となる設定時刻を書換え可能に記憶保持する設定時刻記憶手段と、該設定時刻記憶手段に記憶された設定時刻を変更する設定時刻変更手段と、設定時刻を基準とする所定期間毎のエネルギー使用量を集計してディスプレイ５に表示する制御部１ａとを設ける。【選択図】図１
2015087016.tif 000002
【特許請求の範囲】
【請求項１】
設定時刻を書換え可能に記憶保持する設定時刻記憶手段と、該設定時刻記憶手段に記憶された設定時刻を変更する設定時刻変更手段と、前記設定時刻を基準とする所定期間毎のエネルギー使用量を表示する表示手段とを備えることを特徴とするエネルギー使用量表示装置。
【請求項２】
請求項１に記載のエネルギー使用量表示装置において、前記設定時刻変更手段は、前記設定時刻から前記所定期間よりも短い判定時間以内のエネルギー使用量が所定の閾値を超えると、前記設定時刻を、エネルギー使用量が所定の閾値を超えた時刻以降の所定の時刻に自動的に変更するように構成されていることを特徴とするエネルギー使用量表示装置。
【請求項３】
請求項１又は２に記載のエネルギー使用量表示装置において、前記所定期間は２４時間であることを特徴とするエネルギー使用量表示装置。
【発明の詳細な説明】
【技術分野】
【０００１】
本発明は、住宅等におけるガスや電力や水道などのエネルギーの使用量をユーザーに対して表示するために用いられるエネルギー使用量表示装置に関する。
【背景技術】
【０００２】
この種従来のエネルギー使用量表示装置として、例えば下記の特許文献１（特許第４２９４０４９号公報）に開示された給湯器用リモコンが知られている。この従来の給湯器用リモコンは、給湯に用いられるガス量及び水道量を計測してその計測信号をリモコンに送出する機能を有する給湯器と通信接続されるものである。給湯器は、給湯器において使用される瞬時ガス量及び瞬時水道量を計測するためのガス量計測器及び水道量計測器が設けられ、これら計測器の出力信号がリモコンに送信される。リモコンは、給湯器から送信される計測信号に基づき、今日の０時０分からのガス使用量及び水道使用量を集計するとともに、現在時刻が０時０分となった時点で、直近の３１日の使用量を記憶する日別メモリに記憶された最古の１日分の使用量データを上記のように集計された最新の使用量データに書き換えるようになっている。そして、日別メモリに記憶された１日毎の使用量データに基づいて、ユーザーが選択した日や月の使用量データを表示部に表示できるようになっている。
【先行技術文献】
【特許文献】
【０００３】
【特許文献１】特許第４２９４０４９号公報
【発明の概要】
【発明が解決しようとする課題】
【０００４】
上記従来のエネルギー使用量表示装置は、１日の開始時刻が０時０分に固定されている。しかし、ユーザーの生活習慣によっては、入浴などによる給湯使用時間帯が午前０時を跨いだり、午前０時過ぎとなることがあり、かかる場合に、午前０時を回って使用された分が翌日の使用量として集計されてしまい、ユーザーにとって日々の使用量の管理を行い辛い状態となってしまう。
【０００５】
そこで、本発明は、所定期間毎の集計の基準時刻を変更できるようにすることにより、ユーザーが基準時刻をマニュアル設定したり、過去の使用実績に基づいて自動的に最適な基準時刻に設定したりすることができるようにし、これにより各ユーザーに適したエネルギー使用量の集計結果を表示できるようにすることを目的とする。
【課題を解決するための手段】
【０００６】
上記目的を達成するために、本発明は、次の技術的手段を講じた。
【０００７】
すなわち、本発明のエネルギー使用量表示装置は、設定時刻を書換え可能に記憶保持する設定時刻記憶手段と、該設定時刻記憶手段に記憶された設定時刻を変更する設定時刻変更手段と、前記設定時刻を基準とする所定期間毎のエネルギー使用量を表示する表示手段とを備えることを特徴とするものである（請求項１）。
【０００８】
かかる本発明のエネルギー使用量表示装置によれば、設定時刻記憶手段に設定時刻を書換え可能に記憶保持しているので、設定時刻変更手段によって設定時刻を変更することができ、変更された設定時刻を基準に所定期間毎のエネルギー使用量を表示することにより、ユーザーの生活習慣に適した期間区分でエネルギー使用量の表示を行うことができる。
【０００９】
なお、表示手段は、設定時刻を基準とする所定期間毎に各期間内のエネルギー使用量の集計結果を記憶する期間別データ記憶部と、エネルギー使用量を各期間別表示或いは複数期間の対比表示など所定の表示態様で表示するディスプレイとを備えることができる。また、表示手段は、少なくとも１期間分のエネルギー使用量の表示が行えるものであればよく、好ましくは、現在時刻が属する期間内のエネルギー使用量と、現在時刻が属する期間の直前の期間内のエネルギー使用量とを表示するものとすることができる。エネルギー使用量表示装置は、現在時刻を計時する計時手段をさらに備えることができる。上記期間別データ記憶部は、少なくとも現在時刻が属する期間内のエネルギー使用量と、現在時刻が属する期間の直前の期間内のエネルギー使用量とが記憶されるものとするのが好ましく、より好ましくは、上記所定期間が２４時間（１日）である場合には１週間分や２週間分や１ヶ月分のエネルギー使用量を記憶できるものとするのが好ましい。また、現在時刻が属する期間のエネルギー使用量の集計は、エネルギー使用量表示装置に備えられた集計部において行ってもよく、また、給湯器やエネルギー測定ユニットなどに備えられた集計部において行われた集計結果がエネルギー使用量表示装置に送信されるように構成されていてもよい。また、上記設定時刻変更手段は、ユーザーがマニュアル操作によって時刻設定を変更可能とするものであってもよく、過去のエネルギー使用量の時間毎の使用実績値に基づいて自動的に最適な時刻に設定するものであってもよい。上記所定期間は、一般的には１日とするのが好ましいが、装置の動作開始後最初に到来する設定時刻から１週間毎などのエネルギー使用量を集計して表示するものであってもよい。また、表示手段は、所定期間毎の目標エネルギー消費量をも表示可能に構成することができる。
【００１０】
上記本発明のエネルギー使用量表示装置において、前記設定時刻変更手段は、前記設定時刻から前記所定期間よりも短い判定時間以内のエネルギー使用量が所定の閾値を超えると、前記設定時刻を、エネルギー使用量が所定の閾値を超えた時刻以降の所定の時刻に自動的に変更するように構成されているものとすることができる（請求項２）。これによれば、設定時刻を超えた所定の判定時間内にユーザーが給湯使用するなどの結果、その判定時間以内のエネルギー使用量が増加したときに、設定時刻を自動的に変更することで、ユーザーによるマニュアル操作による設定変更をすることなく当該ユーザーの生活習慣に適した期間毎の表示を行えるようになる。なお、判定時間は、例えば数時間とすることができ、ユーザーの深夜の就寝時間より短い時間とすることが好ましい。また、「エネルギー使用量が所定の閾値を超えた時刻以降の所定の時刻」は、例えば、マニュアル設定によっても設定時刻を所定時間間隔（例えば３０分毎や１時間毎など）で行える構成の場合には、エネルギー使用量が所定の閾値を超えた時刻の後の次のマニュアル設定可能な時刻とすることができる。さらに、「エネルギー使用量が所定の閾値を超えた時刻以降の所定の時刻」は、変更前の設定時刻を基準として所定の延期時間範囲内の時刻とすることが好ましく、当該延期時間は、上記判定時間よりも長い時間であってよい。また、上記閾値としては、０であってもよく、また、洗顔程度に使用されるエネルギー量とすることもできる。また、設定時刻変更手段による自動変更は、複数期間（１期間が１日の場合は複数日）にわたって連続して設定時刻から判定時間以内のエネルギー使用量が所定の閾値を超えた場合にのみ行われるようにすることもでき、これによれば、ユーザーが所用により１日だけ日常とは異なる時間に入浴等した場合に設定時刻が変更されてしまうことを防止できる。
【００１１】
なお、設定時刻が急激に大きく変更されることを回避することを優先するために、前記設定時刻変更手段は、前記設定時刻から前記所定期間よりも短い判定時間以内のエネルギー使用量が所定の閾値を超えると、前記設定時刻を所定の一定時間（例えば３０分や１時間）後の時刻に自動的に変更するように構成することもできる。マニュアル設定によっても設定時刻を所定調整幅（例えば３０分毎や１時間毎など）で行える構成の場合には、上記一定時間は、マニュアル設定における上記調整幅とすることもできる。
【００１２】
また、前記所定期間は２４時間とすることができる（請求項３）。これによれば、日々のエネルギー使用量を、ユーザーの生活習慣に合わせた時刻で区切って表示することができる。また、より好ましくは、前記設定時刻を１時間毎、或いは、３０分毎に変更できるように設定時刻変更手段を構成するのが良い。
【発明の効果】
【００１３】
本発明の請求項１に係るエネルギー使用量表示装置によれば、設定時刻記憶手段に設定時刻を書換え可能に記憶保持しているので、設定時刻変更手段によって設定時刻を変更することができ、変更された設定時刻を基準に所定期間毎のエネルギー使用量を表示することにより、ユーザーの生活習慣に適した期間区分でエネルギー使用量の表示を行うことができる。
【００１４】
本発明の請求項２に係るエネルギー使用量表示装置によれば、設定時刻を超えた所定の判定時間内にユーザーが給湯使用するなどの結果、その判定時間以内のエネルギー使用量が増加したときに、設定時刻を自動的に変更することで、ユーザーによるマニュアル操作による設定変更をすることなく当該ユーザーの生活習慣に適した期間毎の表示を行えるようになる。
【００１５】
本発明の請求項３に係るエネルギー使用量表示装置によれば、日々のエネルギー使用量を、ユーザーの生活習慣に合わせた時刻で区切って表示することができる。
【図面の簡単な説明】
【００１６】
【図１】本発明の一実施形態に係るエネルギー使用量表示装置として機能する給湯器用リモコンと給湯器とエネルギー測定ユニットとの接続図である。
【図２】同給湯器用リモコンの設定時刻変更時の画面を示す正面図である。
【図３】ガス使用量の表示画面を示す図であり、（ａ）は今日のガス使用量表示中の画面、（ｂ）は昨日のガス使用量表示中の画面である。
【発明を実施するための形態】
【００１７】
以下、本発明の好適な実施形態を図面に基づいて説明する。
【００１８】
図１は、本発明の一実施形態に係るエネルギー使用量表示装置として機能する給湯器用リモコン１と、給湯器２と、測定ユニット３との接続例を示している。該リモコン１は、熱源機としての給湯器２の遠隔操作を行うものであり、リモコン１の制御部１ａと給湯器２の制御部２ａとは、通信線４を介して互いに情報交換可能に接続されている。また、建物内で消費される電力使用量を測定するための測定ユニット３が給湯器２とは別に設置されており、測定ユニット３の制御部３ａも、リモコン１の制御部１ａと通信線４を介して互いに情報交換可能に接続されている。
【００１９】
給湯器２は、マイコンにより主構成される制御部２ａと、給湯器２で使用される瞬時ガス量や瞬時水道量を検出する内蔵センサ（図示せず）とを備え、制御部２ａは、ガス使用量の集計値を記憶するガス使用量記憶部と、水道使用量の集計値を記憶する水道使用量記憶部を備えており、リモコン１からリセット信号を受信するとガス使用量記憶部及び水道使用量記憶部に記憶されたデータをリセットする。また、制御部２ａは、内蔵センサの検出値に基づいて、リセットされた後のガス使用量を集計してガス使用量記憶部に記憶するとともに、リセットされた後の水道使用量を集計して水道使用量記憶部に記憶する。さらに、給湯器２の制御部２ａは、リモコン１の制御部１ａから要求があると、ガス使用量記憶部に記憶されたガス使用量データと水道使用量記憶部に記憶された水道使用量データとを、リモコン１の制御部１ａに送信する。
【００２０】
測定ユニット３は、マイコンにより主構成される制御部３ａを備え、該制御部３ａは電力使用量の集計値を記憶する電力使用量記憶部を備え、リモコン１の制御部１ａからリセット信号を受信すると電力使用量記憶部に記憶されたデータをリセットする。また、制御部３ａは、商用電力系統に付設した電流センサ（カレントトランス）及び電圧センサの検出信号に基づいて瞬時電力量を計測し、その計測値に基づいてリセットされた後の電力使用量を集計して電力使用量記憶部に記憶する。さらに、測定ユニット３の制御部３ａは、リモコン１の制御部１ａから要求があると、電力使用量記憶部に記憶された電力使用量データをリモコン１の制御部１ａに送信する。
【００２１】
なお、測定ユニット３は、建物に付設されたガスメータや水道メータの検出信号に基づいて建物全体で使用されたガス使用量や水道使用量を集計する機能も具備することができ、また、測定ユニット３の機能自体を給湯器２の制御部２ａに具備させることもできる。
【００２２】
リモコン１は、給湯器２の遠隔操作を行うとともに、ガス、電力及び水道などのエネルギーの使用量を表示確認するための操作装置であって、マイクロプロセッサや書換え可能メモリ（記憶手段）などにより主構成される制御部１ａと、該制御部１ａによって表示制御が行われるディスプレイ５と、各種操作を行うための操作部６とを備えている。制御部１ａには内部クロックを利用して現在時刻を計時する時計機能（計時手段）が備えられている。また、制御部１ａは、メモリ内に各種制御プログラムや各種制御用データを備え、これら制御プログラムや制御データを用いて、後述するエネルギー使用量表示制御を含む種々の制御を実行する。
【００２３】
ディスプレイ５は、リモコン１の操作部６の操作内容や給湯器２の動作状態やエネルギ−使用量などの表示を行うものであって、図示実施例ではセグメント式ディスプレイを用いているが、ドットマトリクスディスプレイを用いることもできる。該ディスプレイ５は、制御部１ａのマイクロプロセッサによって直接制御されるものであってもよいし、ディスプレイ５の低レベル制御用のコントローラを介してマイクロプロセッサにより表示制御されるものであってもよい。
【００２４】
また、ディスプレイ５は、給湯設定温度や設定項目番号などの数値表示を主として行うための２桁の７セグメント表示領域Ａと、エネルギー種別を示す文字及び該エネルギー種別のエネルギー使用量を示すグラフを図形表示するためのエネルギー使用量表示領域Ｂと、時刻表示やエネルギー使用量の数値表示などの数値表示を行うための３桁＋２桁の７セグメント表示領域Ｃとを備えており、これら領域Ａ，Ｂ，Ｃが横方向に配設されている。なお、これら領域Ａ，Ｂ，Ｃの周囲には、ユーザーに対して所定の情報表示を行うための文字や図形などの特定キャラクタ表示用のセグメントを配設することができ、例えば、図１に示されるように、給湯設定温度を表示していることを示すために表示領域Ａの上部に「給湯℃」と表示したり、給湯中であることを示すために領域Ａの右側部に炎図形を表示したり、その他種々の文字や図形等を表示することができる。
【００２５】
操作部６には、「運転入／切」スイッチ６ａ、「呼出」スイッチ６ｂ、「追いだき」スイッチ６ｃ、「ふろ自動」スイッチ６ｄ、給湯温度等の設定操作のための上下スイッチ６ｅ、「音量」スイッチ６ｆ、「ふろ予約」スイッチ６ｇ、「時計あわせ」スイッチ６ｈ、エネルギー切替スイッチ６ｉ、及び、今日／昨日切替スイッチ６ｊが設けられている。制御部１ａは、各スイッチの所定の操作によって必要な場合には給湯器２や測定ユニット３に対して対応する指令信号を送信するとともに、各操作に応じた表示を行うようにディスプレイ５を表示制御する。
【００２６】
次に、リモコン１の制御部１ａの構成について詳細に説明する。
【００２７】
リモコン１の制御部１ａの書換え可能メモリには、１日の開始の基準となる設定時刻を記憶する設定時刻記憶領域（設定時刻記憶手段）と、所定日数（所定期間数）分、例えば１５日分の日毎のガス使用量、電力使用量及び水道使用量を記憶するエネルギー使用量記憶領域と、少なくとも今日と昨日における目標ガス量、目標電力量及び目標水道量などの目標エネルギー量を記憶する目標エネルギー量記憶領域とが確保されている。なお、「今日」とは、上記設定時刻を開始時刻とし、次に設定時刻が到来するまでの現在時刻が属する２４時間の期間のことをいうものとし、「昨日」とは、現在時刻が属する期間の直前の２４時間の期間のことをいうものとする。各目標資源量は、リモコン１の工場出荷段階で予め基準となる値を設定しておくこともできるが、制御部１ａが過去の使用状況に基づいて学習して各目標エネルギー量を算出し記憶するように構成することもできる。例えば、制御部１ａは、ガス、水道、電力などの過去の所定期間分（例えば１４日分）のエネルギー種別毎のエネルギー使用量の単位期間（例えば１日）あたりの平均値を算出し、各エネルギー種別毎の平均値を今日の目標エネルギー量として更新することができる。この今日の目標エネルギー量の更新は、例えば設定時刻の前後数分以内に行うように構成できる。今日の目標エネルギー量の更新の際、その直前に設定されていた目標エネルギー量は昨日の目標エネルギー量としてメモリに記憶しておくことができる。同様に、過去１４日分の目標エネルギー量を、日毎（期間毎）かつエネルギー種別毎に記憶しておくこともできる。このように、目標エネルギー量を過去の使用量に基づいて定期的に更新することにより、ユーザの実際の使用状況に応じてエネルギー種別毎に適切な目標値の自動更新が可能になる。なお、今日の目標エネルギー量は、ユーザがマニュアル設定できるように構成しておくこともできる。また、メモリに記憶される各エネルギー量の単位は適宜のものであってよく、表示の際に単位変換した値で表示できる。
【００２８】
設定時刻記憶領域には、リモコン１の電源投入時に、初期設定として「０：００」の時刻が設定される。操作部６の所定の操作（例えば特定のスイッチの長押しや、特定の複数のスイッチの同時押しなど）を行うと、各種設定変更プログラムが起動され、上記設定時刻を含む種々の設定をマニュアル操作によって変更できるようになっている。
【００２９】
例えば、各種設定変更プログラム（設定時刻変更手段の一例）が起動されると、図２に示すように、表示領域Ａに設定項目番号を表示し、表示領域Ｂは非表示とされ、表示領域Ｃに設定項目に対応する内容が表示される。この状態で上下スイッチ６ｅを操作すると項目番号が順次変更される。図２に示す例では、設定時刻の項目番号として２０が割り当てられており、設定時刻の変更を行うには、設定時刻項目番号である「２０」が表示されるまで上下スイッチ６ｅを操作する。次に、所定のスイッチ、例えばエネルギー切替スイッチ６ｉを操作すると、表示領域Ｃに表示された設定時刻「００：３０」が点滅表示となり、その状態で上下スイッチ６ｅを操作すると、３０分単位で設定時刻を変更して、設定時刻記憶手段に記憶することができるようになっている。なお、設定時刻の調整幅は、１時間単位とすることもでき、また、分刻みで調整できるようにしてもよい。また、設定時刻の設定可能範囲は所定時刻範囲に限定されていてもよく、例えば、２３：００〜３：００の範囲でのみ設定できるようにプログラム構成することができる。また、設定時刻の設定値は、２４：００よりも大きな値とすることができ、例えば、２６：００と設定すると２：００〜翌２：００までが一日として設定されたものと扱うこともできる。
【００３０】
また、リモコン１の制御部１ａは、設定時刻記憶領域に記憶された設定時刻を自動的に変更する自動変更プログラム（設定時刻変更手段の他の例）を備えることもできる。例えば、設定時刻から所定の判定時間（例えば４時間）以内に給湯使用がなされたことを検出すると、最後に給湯使用がなされた時刻の次の時刻０分や時刻３０分に上記設定時刻を自動的に変更するようにプログラムすることができる。給湯使用がなされたか否かは、ガス使用量や水道使用量の時間毎の実績値に基づいて判定でき、多少の使用では自動変更されないように所定の閾値を超えたガス使用量や水道使用量があった場合にのみ自動変更するように構成することもできる。また、設定時刻から所定の判定時間内の１時間毎に所定の閾値を超えるガス使用量や水道使用量の使用がなされたか否かを示すデータを直近数日分記憶しておき、かかるデータに基づいて最適な時刻に設定時刻を自動設定するように構成することもできる。また、好ましくは、自動変更プログラムによる設定時刻の自動変更は、現在時刻が設定時刻となる直前に行うことが好ましい。
【００３１】
リモコン１の制御部１ａは、その動作中、給湯器２の制御部２ａ及び測定ユニット３の制御部３ａと通信することによりガス使用量、水道使用量及び電力使用量の集計データを収集して、エネルギー使用量記憶領域に日別にガス使用量、水道使用量及び電力使用量を記憶させる。より詳細には、リモコン１の制御部１ａは、現在時刻が設定時刻となったときに、給湯器２の制御部２ａ及び測定ユニット３の制御部３ａに対しリセット信号を送信し、給湯器２のガス使用量記憶部及び水道使用量記憶部、並びに、測定ユニット３の電力使用量記憶部にそれぞれ記憶されたデータを初期化する。
【００３２】
また、リモコン１の制御部１ａは、設定時刻から１時間毎に給湯器２及び測定ユニット３の制御部２ａ，３ａに要求信号を送出し、該要求信号に応答して給湯器２及び測定ユニット３の制御部２ａ，３ａはその時点のガス使用量、水道使用量及び電力使用量の集計値をリモコン１の制御部１ａに送信する。リモコン１の制御部１ａは、図１に示すように、トップ画面の表示領域Ｂに今日の目標ガス量に対する今日のガス使用量の割合をグラフ表示するように構成されており、１時間毎に取得した集計値に基づき、グラフ表示も更新するようになっている。なお、表示領域Ｂの表示内容は、設定変更によって電力使用量や水道使用量などに適宜変更できるようにすることもできる。なお、図１に示すリモコン１のトップ画面の表示領域Ａには給湯設定温度が表示され、表示領域Ｃには現在時刻が表示されている。
【００３３】
現在時刻が次に設定時刻となったとき（すなわち、最初の設定時刻から２４時間が経過したとき）、制御部１ａは、給湯器２及び測定ユニット３の制御部２ａ，３ａからガス使用量、水道使用量及び電力使用量の集計データを取得し、該集計データを昨日のガス使用量、水道使用量及び電力使用量としてエネルギー使用量記憶領域に記憶し、その際、昨日以前の１４日分の集計データが経過日数と関連付けてエネルギー使用量記憶領域に記憶されるようにデータ処理するとともに、給湯器２及び測定ユニット３の制御部２ａ，３ａに対してリセット信号を送信してこれら制御部２ａ，３ａのガス使用量記憶部、水道使用量記憶部及び電力使用量記憶部を初期化する。
【００３４】
また、リモコン１の制御部１ａは、トップ画面表示中にエネルギー切替スイッチ６ｉが押されると、図３（ａ）に示すように、今日のガス使用量をガス料金換算してディスプレイ２の領域Ｃに表示する画面に遷移するように構成されている。当該画面表示中は、ディスプレイ２の領域Ｂに、資源種別を示す「ガス」という文字表示を行うとともに、今日の目標ガス量に対する今日のガス使用量の割合を示す円弧状図形によるグラフ表示を行うように構成されている。
【００３５】
今日のガス使用量をガス料金換算して表示しているときに、今日／昨日切替スイッチ６ｊを押すと、図３（ｂ）に示すように昨日のガス使用量をガス料金換算して表示する画面に遷移する。当該画面表示中は、ディスプレイ２の領域Ｂに、資源種別を示す「ガス」という文字表示を行うとともに、昨日の目標ガス量に対する昨日のガス使用量の割合を示す円弧状図形によるグラフ表示を行うように構成されている。かかる昨日の使用ガス量の表示中に再度今日／昨日切替スイッチ６ｊを押すと、今日の使用ガス量の料金換算表示画面に戻るように構成できる。
【００３６】
なお、図３の画面表示中に上下スイッチ６ｅを操作することによって、目標ガス量の料金換算表示画面、使用ガス量の体積値の表示画面、目標ガス量の体積値の表示画面などに順次切り替わるように構成することができる。また、図３に示すガス使用量表示中にエネルギー切替スイッチ６ｉを押すことによって、ガス以外の電力や水道などの他のエネルギー種別の表示に順次切替えることもできる。
【００３７】
而して、上記制御部１ａ及びディスプレイ５によって、設定時刻を基準とする所定期間毎のエネルギー使用量を表示する表示手段が構成されている。
【００３８】
本実施形態に係る給湯器用リモコン１によれば、ガス、水道及び電力などのエネルギの使用量の期間毎の集計の基準となる設定時刻を簡単な操作で変更することができ、ユーザーが自身の生活習慣に合わせた時刻範囲で１日を設定することができ、深夜０時過ぎに入力を行う場合であっても、その入浴のために消費されたガス量や水道量などを、朝からの１日分の使用量として表示することができ、日毎のエネルギー使用量を的確に把握できるようになる。
【００３９】
本発明は上記実施形態に限定されるものではなく、適宜設計変更することができる。例えば、瞬時ガス量、瞬時水道量及び瞬時電力量がリモコン１の制御部１ａに随時送信されるようにして、今日のガス使用量、水道使用量及び電力使用量の集計を、リモコン１の制御部１ａが行うように構成してもく、その他、設定時刻を集計の基準時刻として期間毎の集計表示を行う適宜の構成とすることができる。
【符号の説明】
【００４０】
１  給湯器用リモコン（エネルギー使用量表示装置）
５  ディスプレイ（表示手段）
【図１】
2015087016.tif 000003
【図２】
2015087016.tif 000004
【図３】
2015087016.tif 000005